(57)【要約】【課題】  既存のキーを有効利用してカメラ機能の遠隔操作を可能にした複合機器を提供する。【解決手段】  携帯電話１は、蓋部２と本体部３とを有する二つ折りの構造であり、本体部３にはキーユニット４が着脱自在に取り付けられている。キーユニット４が本体部３に装着された状態にあって、カメラモード非設定の状態においては、携帯電話１は一般的な携帯電話と同様に機能する。カメラキー４０４を操作してカメラモードに移行すると、キーユニット４を本体部３から取り外して撮影を行うことが可能となる。すなわち、メールキー４０５又はアドレスキー４０８の操作によりズーム処理がなされ、十字キー４０６の操作により、その操作方向に応じて撮像レンズユニット１１８の方向が制御される。決定キー４０７の操作が検出されると、画像データが圧縮処理され画像メモリに格納される。【選択図】    図２
2005268978.tif 000002
【特許請求の範囲】
【請求項１】
装置本体とこの装置本体に着脱自在に設けられた操作体とから構成され、
前記装置本体は、
前記装置外部の通信ネットワークと無線通信を行うための無線通信手段と、
撮影手段と、
前記無線通信手段を動作させる第１のモードと前記撮影手段を動作させる第２のモードとを選択的に設定するモード設定手段と、
前記操作体から送信される制御信号を受信する受信手段と、
前記モード設定手段により前記第２のモードが設定されている場合、前記受信手段により受信された制御信号に基づき、前記撮影手段の動作を制御する制御手段とを備え、
前記操作体は、
前記無線通信手段を制御するために設けられた複数の操作手段と、
この操作手段の操作に応答して、前記制御信号を送信する送信手段と
を備えることを特徴とする複合機器。
【請求項２】
前記制御信号は、赤外線信号であることを特徴とする請求項１に記載の複合機器。
【発明の詳細な説明】
【技術分野】
【０００１】
本発明は、カメラ付き携帯電話等の無線通信機能と撮影機能とを併有する複合機器に関する。
【背景技術】
【０００２】
今日における携帯電話においては、キー操作に応答して赤外線信号を出力し、これによりテレビ受像機やビデオデッキ等の家電製品を遠隔操作できるものが存在する（例えば、特許文献１参照）。
【特許文献１】特開２００３−７８９７７号公報
【発明の開示】
【発明が解決しようとする課題】
【０００３】
しかしながら、従来の赤外線信号を出力可能な携帯電話にあっては、キー操作により自機以外の家電製品を遠隔操作できるにしても、自機自体を遠隔操作し得るものではない。したがって、携帯電話に撮影機能を有していてもこれを遠隔操作により制御することはできず、撮影形態の多様化を図る上で未だ満足すべきものではなかった。
【０００４】
本発明は、このような従来の課題に鑑みてなされたものであり、既存のキーを有効利用してカメラ機能の遠隔操作を可能にした複合機器を提供することを目的とするものである。
【課題を解決するための手段】
【０００５】
前記課題を解決するために請求項１記載の発明に係る複合機器にあっては、装置本体とこの装置本体に着脱自在に設けられた操作体とから構成され、前記装置本体は、前記装置外部の通信ネットワークと無線通信を行うための無線通信手段と、撮影手段と、前記無線通信手段を動作させる第１のモードと前記撮影手段を動作させる第２のモードとを選択的に設定するモード設定手段と、前記操作体から送信される制御信号を受信する受信手段と、前記モード設定手段により前記第２のモードが設定されている場合、前記受信手段により受信された制御信号に基づき、前記撮影手段の動作を制御する制御手段とを備え、前記操作体には、前記無線通信手段手段を制御するために設けられた複数の操作手段と、この操作手段の操作に応答して、前記制御信号を送信する送信手段とを備える。
【０００６】
したがって、第１のモードにおいては、複数の操作手段は無線通信手段を制御するために操作される。しかし、第２のモードにおいて、操作体を装置本体から取り外して、複数の操作手段のいずれかを操作すると、操作体の送信手段から制御信号が送信され、装置本体の受信手段は、この制御信号を受信し、制御手段が撮影手段を制御する。したがって、当該複合機器に着脱自在に設けられている操作体により、当該機器の撮影手段を遠隔操作して撮影を行うことができすることができる。しかも、操作手段は、当該複合機器本来の機能上必要となるものであることから、既存の操作手段を有効利用して、当該複合機器の撮影手段を遠隔操作し撮影を行うことができる。
【０００７】
また、請求項２記載の発明に係る複合機器にあっては、前記制御信号は、赤外線信号である。
【発明の効果】
【０００８】
以上説明したように本発明にかかる複合機器によれば、当該複合機器に着脱自在に設けられている操作体により、当該機器の撮影手段を遠隔操作して撮影を行うことができすることができる。しかも、操作手段は、当該複合機器本来の機能上必要となるものであることから、既存の操作手段を有効利用して、当該複合機器の撮影手段を遠隔操作し撮影を行うことができる。その結果、既存の操作手段を有効利用しつつ、撮影形態の多様化を図ることができる。
【発明を実施するための最良の形態】
【０００９】
以下、本発明を携帯電話に適用した実施の形態を図に従って説明する。
図１〜３に示すように、本実施の形態に係る携帯電話１は、相互に枢着された装置本体としての蓋部２と本体部３とを有する二つ折りの構造であり、本体部３には操作体としてのキーユニット４が着脱自在に取り付けられている。本体部３の内面には、その自由端部側にキーユニット４の着脱を検出する着脱検出部１３２が設けられており、枢支側端部に赤外線受光部１３１とロック部材１３２とが設けられている。前記キーユニット４は、本体部３の内面に配置されてロック部材１３２により着脱自在に係止されている。
【００１０】
スピーカ１０１は、蓋部２の前面側に設けられており、音声出力を行う。メイン表示部１０２は、ＱＶＧＡカラー液晶であり、蓋部２の前面略中央部に配置されている。
【００１１】
キーユニット４の上面には、カメラキー４０４、メールキー４０５、十字キー４０６、決定キー４０７、アドレスキー４０８、ネット接続キー４０９、クリアキー４１０、オンフックキー４１１とオフフックキー４１２、テンキー４１３が設けられている。一方、キーユニット４の下面先端部であって、装着状態において前記赤外線受光部１３１と対向する部位には、赤外線発光部４１５が設けられている。
【００１２】
前記カメラキー４０４は、カメラモード（撮影モード）への移行時及び撮像部の起動させる際に操作されるとともに、カメラ−ムービー切り替えに使用される。メールキー４０５はメールモード移行時及びメールプログラムロード時に操作されるキーであるとともに、カメラモードの状態においては被写体像をズームインさせる際に使用されるキーとなる。十字キー４０６は、カーソル及びフォーカス移動時に操作され、カメラモード時にはその操作方向（左右、上下）に応じて、後述する撮像レンズユニット１１８の左右方向及び上下方向の向きを調整するキーとして機能する。決定キー４０７は各種モードの決定時に操作され、また、カメラモード時にはシャッターキーとして機能する。
【００１３】
アドレスキー４０８は、アドレス帳データを表示する際に操作されるキーである。ネット接続キー４０９は、外部のネットワーク接続用の操作キーであるとともに、カメラモードの状態においては被写体像をズームアウトさせる際に使用されるキーとなる。クリアキー４１０は、キャンセル指示用のキーであり、テンキー４１３は、文字入力及びダイアル入力用として使用される。
マイク１１４は、本体部３の自由端面に設けられており、通話時において音声入力を行う。また、蓋部２の背面には、録音用マイク１１５、カラー液晶からなるサブ表示部１１６、着信の際、発光する報知用ＬＥＤ１１７、撮像レンズユニット１１８及びフラッシュ用ＬＥＤ１１９が配置されている。撮像レンズユニット１１８は、ｘ軸及びｙ軸周りに所定角度回動自在であり、よって、その向きを上下左右方向に調整可能である。
【００１４】
図４は、携帯電話１の蓋部２と本体部３側に配置された回路Ａと、キーユニット４側に配置された回路Ｂとの構成を示すブロック図である。蓋部２と本体部３側に配置された回路Ａにおいて、無線部１２１は、アンテナ１０３に接続されており、ＱＰＳＫ方式に基づく変復調と、ＣＤＭＡ方式に基づく端末認証処理を含む通信処理を外部の携帯電話サービス会社が設置する無線基地局（不図示）と行う。制御部１２２は、当該機器を制御するとともにＷＷＷ接続制御を行うものであって、通信データ処理部１２２１、システムＲＯＭ１２２２及びオーディオインターフェース１２２３、及び、内蔵クロック（不図示）に基づき現在時刻を計時するための時刻計時部１２２４を有している。通信データ処理部１２２１は、ＣＬＥＰ系音声復号符号化処理回路、パケットデータ生成回路、及びパケットデータ復元回路を含み、通信プロトコルに沿ったデータ処理を行う。システムＲＯＭ１２２２には、ＯＳのような基本システムが格納される。オーディオインターフェース１２２３は、通信データ処理部１２２１で処理される音声信号の入出力を行うものであって、前記スピーカ１０１、マイク１１４及び録音用マイク１１５が接続されている。
【００１５】
アドレス・データバス処理部１２３は、制御部１２２と周辺回路とのデータの入出力タイミング等を制御・管理するものである。ＲＡＭ１２４は、アドレス帳データやメールデータ等、機器内で生成される各種データを記憶する。プログラムＲＯＭ（ＮＯＲ  Ｆｌａｓｈ）１２５は、後述するように各種アプリケーションプログラム等を格納する。音源ＩＣ１２６は、報知音の波形を記憶するともに出力するものであって、アンプ１２７は音源ＩＣ１２６からの出力を増幅し、前記報知用スピーカ１２０はこれを再生する。
【００１６】
表示モジュール系ドライバ１２８は、前記メイン表示部１０２、サブ表示部１１６、報知用ＬＥＤ１１７、及びフラッシュ用ＬＥＤ１１９を駆動するものである。撮像デバイス１３０は、前記撮像レンズユニット１１８により被写体像が結像されるＣＣＤ等からなる。ＤＳＰ１２９は、この撮像デバイス１３０からの画像信号をデジタル信号化処理するとともに、デジタルズーム処理して拡大及び縮小処理するものである。この拡大及び縮小処理された画像データに基づき、表示モジュール系ドライバがメイン表示部１０２やサブ表示部１１６を駆動することにより、撮像デバイス１３０上に結像された被写体像が両表示部１０２、１１６に拡大又は縮小表示されるとともに、シャッター操作に伴い当該被写体像の画像データが後述する画像メモリ１２４３に記録される。レンズ駆動部１３３は、撮像レンズユニット１１８を左右及び上下方向に駆動する駆動機構を有して成る。なお、前述のように１３１は赤外線受光部、１３２は着脱検出部である。
【００１７】
他方、キーユニット４側に配置された回路Ｂには、前記カメラキー４０４〜テンキー４１３で構成される入力部、及び前記赤外線発光部４１５が設けられているとともに、カメラキー４０４〜テンキー４１３の操作に応じたパターンの赤外線を発光するように、赤外線発光部４１５を制御するＩｒ発光制御部４１４が設けられている。
【００１８】
図５は、プログラムＲＯＭ１２５のメモリエリアの構成を示す概念図である。プログラムＲＯＭ１２５は、ソフトウェアプログラム格納領域１２５１及びその他の格納領域１２５２を有している。ソフトウェアプログラム格納領域１２５１には、画像圧縮符号化処理機能を含む本実施の形態の特徴であるカメラアプリケーションが格納されており、その他の格納領域１２５２にはその他のアプリケーションが格納されている。
【００１９】
図６は、前記ＲＡＭ１２４のメモリエリアの構成を示す概念図である。ＲＡＭ１２４は、アドレス帳記憶領域１２４１、メールデータ記憶領域１２４２、画像メモリ１２４３、及びその他のワーク領域１２４４からなる。アドレス帳記憶領域１２４１は、氏名、電話番号、メールアドレス等を１レコードとして複数記憶する。メールデータ記憶領域１２４２には、メールソフトウェアを使用して作成されたメールデータや、受信したメールデータを格納する。その他のワーク領域１２４４は、ワークメモリとして各種データ格納する。
【００２０】
次に、以上の構成に係る携帯電話１の動作について説明する。図１に示したように、キーユニット４が本体部３に装着された状態にあって、着信待受け状態にあり、かつ、カメラモードが非設定の状態においては、この携帯電話１は一般的な携帯電話と同様に機能する。つまり、前述のように、メールキー４０５は、メールモード移行時及びメールプログラムロード時に操作されるキーとして機能し、アドレスキー４０８は、アドレス帳データを表示する際に操作されるキーとして機能し、ネット接続キー４０９は、外部のネットワーク接続用の操作キーとして機能する。
【００２１】
なお、このように各キーが操作された際には、操作されたキーに対応するパターンの赤外線信号が赤外線発光部４１５から出力される。このとき、キーユニット４が本体部３に装着された状態においては、赤外線発光部４１５が赤外線受光部１３１と近接して対向しているので、赤外線発光部４１５からの赤外光が確実に赤外線受光部１３１により受光されて、前記機能が発現されることとなる。
【００２２】
そして、ユーザが携帯電話１をカメラとして使用すべく、カメラキー４０４をワンタッチ操作すると、制御部１２２は、着信待受け状態を維持したまま、このカメラキー４０４の操作に応答してカメラモードに移行する。このカメラモードへの移行に伴って、制御部１２２は、プログラムＲＯＭ１２５に格納されているプログラムに基づき、図７のフローチャートに示すように処理を実行する。
【００２３】
すなわち、着脱検出部１３２からの検出信号に基づき、キーユニット４の本体部３からの離脱が検出されたか否かを判断する（ステップＳ１）。この判断の結果、離脱が検出されない場合には、図１に示したように、キーユニット４は本体部３に装着された状態にある。したがって、ユーザはキーユニット４は本体部３に装着したまま撮影を行うものと想定されることから、撮像レンズユニット１１８により撮像デバイス１３０上に結像された被写体像を、メイン表示部１０２のみにスルー画像として表示させる（ステップＳ２）。
【００２４】
しかし、離脱が検出された場合には、図２に示したように、キーユニット４は本体部３から取り外され、本体部３側を所望の場所に置く一方、キーユニット４のみを持って遠隔操作で撮影を行うことが想定される。このとき、ユーザは蓋部２の一面側方向（メイン表示部１０２に面する方向）に居て遠隔操作を行う場合と、他面側方向に（サブ表示部１１６に面する方向）に居て遠隔操作を行う場合とが想定される。よって、キーユニット４が取り外された場合には、撮像レンズユニット１１８により撮像デバイス１３０上に結像された被写体像を、メイン表示部１０２のみならずサブ表示部１１６にもスルー画像として表示させる（ステップＳ３）。
【００２５】
次に、赤外線受光部１３１により赤外光が受光されたか否かを判断する（ステップＳ４）。受光された場合には、受光した赤外線信号がメールキー４０５又はアドレスキー４０８の操作に対応するパターンであるか否かを判断する（ステップＳ５）。受光した赤外線信号がメールキー４０５又はアドレスキー４０８の操作に対応するパターンであって、ユーザがキーユニット４のメールキー４０５又はアドレスキー４０８を操作した場合には、操作されたキーに応じてズーム処理を実行する（ステップＳ６）。
【００２６】
すなわち、メールキー４０５が操作された場合には、ＤＳＰ１２９を制御して撮像デバイス１３０からの画像信号をデジタルズーム処理して拡大処理し、アドレスキー４０８が操作された場合には、縮小処理する。この拡大及び縮小処理された画像データに基づき、表示モジュール系ドライバがメイン表示部１０２やサブ表示部１１６を駆動することにより、撮像デバイス１３０上に結像された被写体像が両表示部１０２、１１６に拡大又は縮小表示される。
【００２７】
また、受光した赤外線信号が十字キー４０６の操作に対応するパターンであるか否かを判断する（ステップＳ７）。受光した赤外線信号が十字キー４０６の操作に対応するパターンであって、ユーザがキーユニット４の十字キー４０６を操作した場合には、その操作方向に応じて撮像レンズユニット１１８の方向を制御する（ステップＳ８）。すなわち、十字キー４０６の左右が押下された場合には、レンズ駆動部１３３を制御して撮像レンズユニット１１８を左右方向に駆動し、上下が押下された場合には、撮像レンズユニット１１８を上下方向に駆動する。これにより、撮像デバイス１３０上に結像される被写体の方向が変化し、ユーザは遠隔操作により撮像範囲は撮像対象を調整することができる。
【００２８】
また、受光した赤外線信号がカメラキー４０４の操作に対応するパターンであるか否かを判断する（ステップＳ９）。受光した赤外線信号がカメラキー４０４の操作に対応するパターンであって、ユーザがカメラモードにおいてカメラキー４０４を操作した場合には、後述するムービー撮影モードに移行する（ステップＳ１４）。
【００２９】
しかし、カメラキー４０４の操作がない場合には（ステップＳ９；ＮＯ）、通常撮影モードを維持して（ステップＳ１０）、決定キー４０７の操作を待つ（ステップＳ１１）。そして、カメラモードではシャッターキーとして機能する決定キー４０７の操作に対応するパターンの赤外線信号が受光されて、決定キー４０７の操作が検出されると（ステップＳ１１；ＹＥＳ）、その時点でメイン表示部１０２又はサブ表示部１１６の表示に供されている画像データを圧縮処理し（ステップＳ１２）、この圧縮処理した画像データをＲＡＭ１２４の画像メモリ１２４３に日付をファイル名にして格納する（ステップＳ３９）。したがって、以上の処理によりユーザは本体部３から取り外したキーユニット４でのキー操作により遠隔操作を行いつつ、あるいは本体部３にキーユニット４を装着したままでのキー操作により、スチル撮影を行うことができる。
【００３０】
他方、ステップＳ９での判断により、カメラモードにおいてカメラキー４０４が操作された場合には、ムービー撮影モードに移行する（ステップＳ１４）。次に、決定キー４０７の操作に対応するパターンの赤外線信号が受光されたか否かを判断し（ステップＳ１５）、決定キー４０７の操作が検出されると（ステップＳ１５；ＹＥＳ）、ＤＳＰ１２９から順次映像を取り込んで（ステップＳ１６）、圧縮処理し（ステップＳ１７）、決定キー４０７の操作が再度検出されるまで（ステップＳ１８）、ステップＳ１６及びＳ１７の処理を繰り返す。そして、決定キー４０７の操作が再度検出されたならば（ステップＳ１８；ＹＥＳ）、生成されている動画データをＲＡＭ１２４の画像メモリ１２４３に日付をファイル名にして格納する（ステップＳ１９）。したがって、以上の処理によりユーザは本体部３から取り外したキーユニット４でのキー操作により遠隔操作を行いつつ、あるいは本体部３にキーユニット４を装着したままでのキー操作により、動画撮影を行うこともできる。
【００３１】
なお、本実施の形態においては、キーユニット４から送信される制御信号として赤外線信号を用いるようにしたが、ブルートゥース（Ｂｌｕｅｔｏｏｔｈ）等の近接無線信号等の他の方式に基づく制御信号を用いるようにしてもよい。また、本実施の形態においては、本発明を携帯電話に適用した場合を示したが、これに限ることなく、ＰＤＡ、デジタルカメラ、携帯型ゲーム機等所定の機能と撮影機能とを併有するの比較的小型の他の機器に適用し得ることは勿論である。
【図面の簡単な説明】
【００３２】
【図１】本実施の形態における携帯電話のキーユニットを装着した状態の斜視図である。
【図２】同携帯電話のキーユニットを離脱させた状態の斜視図である。
【図３】同携帯電話のキーユニットを離脱させた状態の側面図である。
【図４】同携帯電話の回路構成を示すブロック図である。
【図５】プログラムＲＯＭのメモリエリアの構成を示す概念図である。
【図６】ＲＡＭのメモリエリアの構成を示す概念図である。
【図７】本実施の形態における制御部の処理手順を示すフローチャートである。
【符号の説明】
【００３３】
１    携帯電話（複合機器）
２    蓋部（装置本体）
３    本体部（装置本体）
４    キーユニット（操作体）
１０２    メイン表示部
１１６    サブ表示部
１１８    撮像レンズユニット（撮影手段）
１２１    無線部（無線通信手段）
１２２    制御部（モード設定手段、制御手段）
１２３    データバス処理部
１２４    ＲＡＭ
１２５    プログラムＲＯＭ
１２８    表示モジュール系ドライバ
１２９    ＤＳＰ（撮影手段）
１３０    撮像デバイス（撮影手段）
１３１    赤外線受光部（受信手段）
１３２    ロック部材
１３２    着脱検出部
１３３    レンズ駆動部（撮影手段）
４０４    カメラキー（モード設定手段、操作手段）
４０５    メールキー（操作手段）
４０６    十字キー（操作手段）
４０７    決定キー（操作手段）
４０９    ネット接続キー（操作手段）
４１０    クリアキー（操作手段）
４１１    オンフックキー（操作手段）
４１２    オフフックキー（操作手段）
４１３    テンキー（操作手段）
４１４    Ｉｒ発光制御部（送信手段）
４１５    赤外線発光部（送信手段）
１２４３    画像メモリ
【図１】
2005268978.tif 000003
【図２】
2005268978.tif 000004
【図３】
2005268978.tif 000005
【図４】
2005268978.tif 000006
【図５】
2005268978.tif 000007
【図６】
2005268978.tif 000008
【図７】
2005268978.tif 000009